【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
ＩＰ網又はＰＳＴＮ網を介して音声通話を行うＩＰ電話装置と、前記ＩＰ電話装置の問合せに応じてＮＡＰＴＲリソースレコードを返送するＥＮＵＭサーバと、を具備するＩＰ電話システムであって、前記ＩＰ電話装置は、音声通話を行う際、宛先端末に対応するＮＡＰＴＲリソースレコードを前記ＥＮＵＭサーバに問い合わせ、当該ＮＡＰＴＲリソースレコードの内容に従ってＩＰ網又はＰＳＴＮ網を通話経路として選択して音声通話を行うことを特徴とするＩＰ電話システム。
【請求項２】
前記ＥＮＵＭサーバに登録されたＮＡＰＴＲリソースレコードのＳｅｒｖｉｃｅフィールドに設定されたサービス種別がＳＩＰプロトコルである場合にＩＰ網を通話経路として選択し、前記ＩＰ電話管理サーバを介してＩＰ網により前記宛先端末と呼制御を行った後に音声通話を行うことを特徴とする請求項１記載のＩＰ電話システム。
【請求項３】
前記ＥＮＵＭサーバに登録されたＮＡＰＴＲリソースレコードのＳｅｒｖｉｃｅフィールドに設定されたサービス種別がＨ．３２３プロトコルである場合にＩＰ網を通話経路として選択し、前記ＩＰ電話管理サーバを介してＩＰ網により前記宛先端末と呼制御を行った後に音声通話を行うことを特徴とする請求項１又は請求項２記載のＩＰ電話システム。
【請求項４】
前記ＥＮＵＭサーバに登録されたＮＡＰＴＲリソースレコードのＳｅｒｖｉｃｅフィールドに設定されたサービス種別がＰＳＴＮ網による通話である場合にＰＳＴＮ網を通話経路として選択し、ＰＳＴＮ網を介して前記宛先端末と直接呼制御を行った後に音声通話を行うことを特徴とする請求項１から請求項３のいずれかに記載のＩＰ電話システム。
【請求項５】
前記ＥＮＵＭサーバに登録されたＮＡＰＴＲリソースレコードのＯｒｄｅｒフィールドに設定された値に応じた順序で当該ＮＡＰＴＲリソースレコードのＳｅｒｖｉｃｅフィールドに設定されたサービス種別を判断することを特徴とする請求項４記載のＩＰ電話システム。
【請求項６】
ＩＰ電話装置の問合せに応じてＮＡＰＴＲリソースレコードを返送するＥＮＵＭサーバに接続されるＩＰ電話装置であって、音声通話を行う際、宛先端末に対応するＮＡＰＴＲリソースレコードを前記ＥＮＵＭサーバに問い合わせ、当該ＮＡＰＴＲリソースレコードの内容に従ってＩＰ網又はＰＳＴＮ網を通話経路として選択して音声通話を行うことを特徴とするＩＰ電話装置。
【請求項７】
前記ＥＮＵＭサーバに登録されたＮＡＰＴＲリソースレコードのＳｅｒｖｉｃｅフィールドに設定されたサービス種別がＳＩＰプロトコルである場合にＩＰ網を通話経路として選択し、前記ＩＰ電話管理サーバを介してＩＰ網により前記宛先端末と呼制御を行った後に音声通話を行うことを特徴とする請求項６記載のＩＰ電話装置。
【請求項８】
前記ＥＮＵＭサーバに登録されたＮＡＰＴＲリソースレコードのＳｅｒｖｉｃｅフィールドに設定されたサービス種別がＨ．３２３プロトコルである場合にＩＰ網を通話経路として選択し、前記ＩＰ電話管理サーバを介してＩＰ網により前記宛先端末と呼制御を行った後に音声通話を行うことを特徴とする請求項６又は請求項７記載のＩＰ電話装置。
【請求項９】
前記ＥＮＵＭサーバに登録されたＮＡＰＴＲリソースレコードのＳｅｒｖｉｃｅフィールドに設定されたサービス種別がＰＳＴＮ網による通話である場合にＰＳＴＮ網を通話経路として選択し、ＰＳＴＮ網を介して前記宛先端末と直接呼制御を行った後に音声通話を行うことを特徴とする請求項６から請求項８のいずれかに記載のＩＰ電話装置。
【請求項１０】
前記ＥＮＵＭサーバに登録されたＮＡＰＴＲリソースレコードのＯｒｄｅｒフィールドに設定された値に応じた順序で当該ＮＡＰＴＲリソースレコードのＳｅｒｖｉｃｅフィールドに設定されたサービス種別を判断することを特徴とする請求項９記載のＩＰ電話装置。
【請求項１１】
ＩＰ網又はＰＳＴＮ網を介して音声通話を行うＩＰ電話装置と、前記ＩＰ電話装置の問合せに応じてＮＡＰＴＲリソースレコードを返送するＥＮＵＭサーバと、を用いた通話方法であって、前記ＩＰ電話装置から音声通話を行う際、宛先端末に対応するＮＡＰＴＲリソースレコードを前記ＥＮＵＭサーバに問い合わせ、当該ＮＡＰＴＲリソースレコードの内容に従ってＩＰ網又はＰＳＴＮ網を通話経路として選択して音声通話を行うことを特徴とする通話方法。
【請求項１２】
前記ＥＮＵＭサーバに登録されたＮＡＰＴＲリソースレコードのＳｅｒｖｉｃｅフィールドに設定されたサービス種別がＳＩＰプロトコルである場合にＩＰ網を通話経路として選択し、前記ＩＰ電話管理サーバを介してＩＰ網により前記宛先端末と呼制御を行った後に音声通話を行うことを特徴とする請求項１１記載の通話方法。
【請求項１３】
前記ＥＮＵＭサーバに登録されたＮＡＰＴＲリソースレコードのＳｅｒｖｉｃｅフィールドに設定されたサービス種別がＨ．３２３プロトコルである場合にＩＰ網を通話経路として選択し、前記ＩＰ電話管理サーバを介してＩＰ網により前記宛先端末と呼制御を行った後に音声通話を行うことを特徴とする請求項１１又は請求項１２記載の通話方法。
【請求項１４】
前記ＥＮＵＭサーバに登録されたＮＡＰＴＲリソースレコードのＳｅｒｖｉｃｅフィールドに設定されたサービス種別がＰＳＴＮ網による通話である場合にＰＳＴＮ網を通話経路として選択し、ＰＳＴＮ網を介して前記宛先端末と直接呼制御を行った後に音声通話を行うことを特徴とする請求項１１から請求項１３のいずれかに記載の通話方法。
【請求項１５】
前記ＥＮＵＭサーバに登録されたＮＡＰＴＲリソースレコードのＯｒｄｅｒフィールドに設定された値に応じた順序で当該ＮＡＰＴＲリソースレコードのＳｅｒｖｉｃｅフィールドに設定されたサービス種別を判断することを特徴とする請求項１４記載の通話方法。
【請求項１６】
少なくともＩＰ網を介して通信を行う通信装置と、前記通信装置からの宛先端末のＥ．１６４番号に基づく問合せに応じて前記宛先端末に対応付けられて記憶されたＮＡＰＴＲリソースレコードを返送するＥＮＵＭサーバと、を用いた通信方法であって、宛先端末のＥ．１６４番号に基づいて前記通信装置から前記宛先端末に対応するＮＡＰＴＲリソースレコードを前記ＥＮＵＭサーバに問い合わせ、前記ＥＮＵＭサーバから返送されたＮＡＰＴＲリソースレコードを受信し、前記受信したＮＡＰＴＲリソースレコードから前記宛先端末が対応可能な通信網および通信プロトコルを判断し、前記判断された通信網を通信経路として選択し、前記選択された通信網がＩＰ網のとき前記判断された通信プロトコルを用いて前記宛先端末と通信を行うことを特徴とする通信方法。
【手続補正２】
【補正対象書類名】明細書
【補正対象項目名】００２１
【補正方法】変更
【補正の内容】
【００２１】
本発明は、ＩＰ網又はＰＳＴＮ網を介して音声通話を行うＩＰ電話装置と、前記ＩＰ電話装置の問合せに応じてＮＡＰＴＲリソースレコードを返送するＥＮＵＭサーバと、を具備するＩＰ電話システムであって、前記ＩＰ電話装置は、音声通話を行う際、宛先端末に対応するＮＡＰＴＲリソースレコードを前記ＥＮＵＭサーバに問い合わせ、当該ＮＡＰＴＲリソースレコードの内容に従ってＩＰ網又はＰＳＴＮ網を通話経路として選択して音声通話を行うようにしたものである。
【手続補正３】
【補正対象書類名】明細書
【補正対象項目名】００２３
【補正方法】変更
【補正の内容】
【００２３】
本発明の第１の態様に係るＩＰ電話システムは、ＩＰ網又はＰＳＴＮ網を介して音声通話を行うＩＰ電話装置と、前記ＩＰ電話装置の問合せに応じてＮＡＰＴＲリソースレコードを返送するＥＮＵＭサーバと、を具備するＩＰ電話システムであって、前記ＩＰ電話装置は、音声通話を行う際、宛先端末に対応するＮＡＰＴＲリソースレコードを前記ＥＮＵＭサーバに問い合わせ、当該ＮＡＰＴＲリソースレコードの内容に従ってＩＰ網又はＰＳＴＮ網を通話経路として選択して音声通話を行う構成を採る。
【手続補正４】
【補正対象書類名】明細書
【補正対象項目名】００３２
【補正方法】変更
【補正の内容】
【００３２】
本発明の第５の態様は、第４の態様に係るＩＰ電話システムにおいて、前記ＥＮＵＭサーバに登録されたＮＡＰＴＲリソースレコードのＯｒｄｅｒフィールドに設定された値に応じた順序で当該ＮＡＰＴＲリソースレコードのＳｅｒｖｉｃｅフィールドに設定されたサービス種別を判断する構成を採る。
【手続補正５】
【補正対象書類名】明細書
【補正対象項目名】００３３
【補正方法】変更
【補正の内容】
【００３３】
この構成によれば、ＮＡＰＴＲリソースレコードのＯｒｄｅｒフィールドに設定された値に応じた順序で当該ＮＡＰＴＲリソースレコードのＳｅｒｖｉｃｅフィールドに設定されたサービス種別が判断される。したがって、Ｏｒｄｅｒフィールドに設定された値を操作することで、ＩＰ網又はＰＳＴＮ網の選択順序を指定することができる。
【手続補正６】
【補正対象書類名】明細書
【補正対象項目名】００３４
【補正方法】変更
【補正の内容】
【００３４】
本発明の第６の態様に係るＩＰ電話装置は、ＩＰ電話装置の問合せに応じてＮＡＰＴＲリソースレコードを返送するＥＮＵＭサーバに接続されるＩＰ電話装置であって、音声通話を行う際、宛先端末に対応するＮＡＰＴＲリソースレコードを前記ＥＮＵＭサーバに問い合わせ、当該ＮＡＰＴＲリソースレコードの内容に従ってＩＰ網又はＰＳＴＮ網を通話経路として選択して音声通話を行う構成を採る。
【手続補正７】
【補正対象書類名】明細書
【補正対象項目名】００４３
【補正方法】変更
【補正の内容】
【００４３】
本発明の第１０の態様は、第９の態様に係るＩＰ電話装置において前記ＥＮＵＭサーバに登録されたＮＡＰＴＲリソースレコードのＯｒｄｅｒフィールドに設定された値に応じた順序で当該ＮＡＰＴＲリソースレコードのＳｅｒｖｉｃｅフィールドに設定されたサービス種別を判断する構成を採る。
【手続補正８】
【補正対象書類名】明細書
【補正対象項目名】００４４
【補正方法】変更
【補正の内容】
【００４４】
この構成によれば、ＮＡＰＴＲリソースレコードのＯｒｄｅｒフィールドに設定された値に応じた順序で当該ＮＡＰＴＲリソースレコードのＳｅｒｖｉｃｅフィールドに設定されたサービス種別が判断される。したがって、Ｏｒｄｅｒフィールドに設定された値を操作することで、ＩＰ網又はＰＳＴＮ網の選択順序を指定することができる。
【手続補正９】
【補正対象書類名】明細書
【補正対象項目名】００４５
【補正方法】変更
【補正の内容】
【００４５】
本発明の第１１の態様に係る通話方法は、ＩＰ網又はＰＳＴＮ網を介して音声通話を行うＩＰ電話装置と、前記ＩＰ電話装置の問合せに応じてＮＡＰＴＲリソースレコードを返送するＥＮＵＭサーバと、を用いた通話方法であって、前記ＩＰ電話装置から音声通話を行う際、宛先端末に対応するＮＡＰＴＲリソースレコードを前記ＥＮＵＭサーバに問い合わせ、当該ＮＡＰＴＲリソースレコードの内容に従ってＩＰ網又はＰＳＴＮ網を通話経路として選択して音声通話を行うものである。
【手続補正１０】
【補正対象書類名】明細書
【補正対象項目名】００４９
【補正方法】変更
【補正の内容】
【００４９】
本発明の第１５の態様は、第１４の態様に係る通話方法において、前記ＥＮＵＭサーバに登録されたＮＡＰＴＲリソースレコードのＯｒｄｅｒフィールドに設定された値に応じた順序で当該ＮＡＰＴＲリソースレコードのＳｅｒｖｉｃｅフィールドに設定されたサービス種別を判断するものである。
本発明の第１６の態様に係る通信方法は、少なくともＩＰ網を介して通信を行う通信装置と、前記通信装置からの宛先端末のＥ．１６４番号に基づく問合せに応じて前記宛先端末に対応付けられて記憶されたＮＡＰＴＲリソースレコードを返送するＥＮＵＭサーバと、を用いた通信方法であって、宛先端末のＥ．１６４番号に基づいて前記通信装置から前記宛先端末に対応するＮＡＰＴＲリソースレコードを前記ＥＮＵＭサーバに問い合わせ、前記ＥＮＵＭサーバから返送されたＮＡＰＴＲリソースレコードを受信し、前記受信したＮＡＰＴＲリソースレコードから前記宛先端末が対応可能な通信網および通信プロトコルを判断し、前記判断された通信網を通信経路として選択し、前記選択された通信網がＩＰ網のとき前記判断された通信プロトコルを用いて前記宛先端末と通信を行うものである。
【手続補正１１】
【補正対象書類名】明細書
【補正対象項目名】０１３９
【補正方法】変更
【補正の内容】
【０１３９】
さらに、本実施の形態に係るＩＰ電話システムによれば、ＮＡＰＴＲリソースレコードのＯｒｄｅｒフィールドに設定された値に応じた順序で当該ＮＡＰＴＲリソースレコードのＳｅｒｖｉｃｅフィールドに設定されたサービス種別が判断される。したがって、Ｏｒｄｅｒフィールドに設定された値を操作することで、ＩＰ網又はＰＳＴＮ網の選択順序を指定することができる。